(57)【要約】【課題】基地局による測定対象の項目の設定にかかる手間を削減する。【解決手段】本発明の無線通信システムは、基地局と、前記基地局を管理する基地局管理装置とを備える無線通信システムであって、前記基地局は、自局の動作状態に関する複数の測定項目のうち、測定対象として設定された測定項目の測定を行う測定部を有し、前記基地局管理装置は、前記基地局による前記測定項目の測定結果を取得する取得部と、前記取得部により取得された前記測定結果を記憶し、前記測定項目の測定結果の参照が要求されると、該測定項目の測定結果を要求元に参照させる制御部と、を有し、前記制御部は、所定期間ごとに前記測定結果の参照状況を確認し、確認した前記参照状況に応じて、前記複数の測定項目の中から、前記基地局による測定対象から除外する測定停止項目を決定し、前記基地局に前記測定停止項目の測定を停止させる。【選択図】図１
2014233037.tif 000002
【特許請求の範囲】
【請求項１】
基地局と、前記基地局を管理する基地局管理装置とを備える無線通信システムであって、
前記基地局は、
自局の動作状態に関する複数の測定項目のうち、測定対象として設定された測定項目について測定を行う測定部を有し、
前記基地局管理装置は、
前記基地局により測定された前記測定項目についての測定結果を取得する取得部と、
前記取得部により取得された前記測定結果を記憶し、前記測定項目についての測定結果の参照が要求されると、該測定項目についての測定結果を要求元に参照させる制御部と、を有し、
前記制御部は、所定期間ごとに前記測定結果の参照状況を確認し、確認した参照状況に応じて、前記複数の測定項目の中から前記基地局による測定対象から除外する測定停止項目を決定し、前記基地局に前記測定停止項目についての測定を停止させることを特徴とする無線通信システム。
【請求項２】
請求項１に記載の無線通信システムにおいて、
前記制御部は、前記測定項目についての測定結果が参照されない時間が所定の時間以上である場合には、前記測定項目を前記測定停止項目として決定することを特徴とする無線通信システム。
【請求項３】
請求項１に記載の無線通信システムにおいて、
前記制御部は、所定の時間における前記測定項目についての測定結果の参照回数が所定の回数未満である場合には、前記測定項目を前記測定停止項目として決定することを特徴とする無線通信システム。
【請求項４】
請求項１から３のいずれか１項に記載の無線通信システムにおいて、
前記制御部は、前記複数の測定項目を各測定項目の属性に応じてグループ化し、前記測定停止項目を決定すると、該測定停止項目および該測定停止項目と同じグループに属する測定項目についての測定を前記基地局に停止させることを特徴とした無線通信システム。
【請求項５】
請求項１に記載の無線通信システムにおいて、
前記制御部は、前記複数の測定項目を各測定項目の属性に応じてグループ化し、前記測定結果の参照頻度が所定の閾値以上である場合には、前記測定項目と同じグループに属する測定項目を前記測定停止項目として決定することを特徴とした無線通信システム。
【請求項６】
請求項１から５のいずれか１項に記載の無線通信システムにおいて、
前記制御部は、前記測定停止項目についての測定結果の参照が要求されると、前記基地局に前記測定停止項目についての測定を開始させることを特徴とする無線通信システム。
【請求項７】
請求項１から６のいずれか１項に記載に記載の無線通信システムにおいて、
前記無線通信システムを管理するオペレータからの操作を受け付け、前記基地局管理装置に前記操作に応じた出力をする参照装置をさらに有し、
前記制御部は、前記測定停止項目を決定すると、前記測定停止項目についての測定の停止の許否の入力を前記参照装置に要求し、前記参照装置から前記測定停止項目についての測定の停止を許可する旨が入力されると、前記基地局に前記測定停止項目についての測定を停止させることを特徴とする無線通信システム。
【請求項８】
自局の動作状態に関する複数の測定項目のうち、測定対象として設定された測定項目について測定を行う基地局を管理する基地局管理装置であって、
前記基地局により測定された前記測定項目についての測定結果を取得する取得部と、
前記取得部により取得された前記測定結果を記憶し、前記測定項目についての測定結果の参照が要求されると、該測定項目についての測定結果を要求元に参照させる制御部と、を有し、
前記制御部は、所定期間ごとに前記測定結果の参照状況を確認し、確認した前記参照状況に応じて、前記複数の測定項目の中から、前記基地局による測定対象から除外する測定停止項目を決定し、前記基地局に前記測定停止項目についての測定を停止させることを特徴とする基地局管理装置。
【請求項９】
自局の動作状態に関する複数の測定項目のうち、測定対象として設定された測定項目について測定を行う基地局を管理する基地局管理装置の制御方法であって、
前記基地局により測定された前記測定項目についての測定結果を取得し、
前記取得した前記測定結果を記憶し、前記測定項目についての測定結果の参照が要求されると、該測定項目についての測定結果を要求元に参照させ、
所定期間ごとに前記測定結果の参照状況を確認し、確認した前記参照状況に応じて、前記複数の測定項目の中から、前記基地局による測定対象から除外する測定停止項目を決定し、前記基地局に前記測定停止項目についての測定を停止させることを特徴とする基地局管理装置の制御方法。
【発明の詳細な説明】
【技術分野】
【０００１】
本発明は、無線通信システム、基地局管理装置、および、その制御方法に関する。
【背景技術】
【０００２】
ＬＴＥ（Ｌｏｎｇ  Ｔｅｒｍ  Ｅｖｏｌｕｔｉｏｎ）通信システムなどの無線通信システムにおいては、基地局（ｅＮｏｄｅＢ）を管理する管理システムとして、ＥＭＳ（Ｅｌｅｍｅｎｔ  Ｍａｎａｇｅｍｅｎｔ  Ｓｙｓｔｅｍ）の実用化が進められている。
【０００３】
ＥＭＳが有する機能の１つとして、基地局の動作状態に関する複数の項目（例えば、基地局のＣＰＵ（Ｃｅｎｔｒａｌ  Ｐｒｏｃｅｓｓｉｎｇ  Ｕｎｉｔ）稼働率など）について基地局に測定を行わせ、測定結果を取得するＰＭ（Ｐｅｒｆｏｒｍａｎｃｅ  Ｍａｎａｇｅｍｅｎｔ）機能がある（特許文献１（特開２００６−１１４０４７号公報）参照）。ＰＭ機能により取得された測定結果は、基地局の保守や運用（Ｏｐｅｒａｔｉｏｎ＆Ｍａｉｎｔｅｎａｎｃｅ）などに用いられる。
【先行技術文献】
【特許文献】
【０００４】
【特許文献１】特開２００６−１１４０４７号公報
【発明の概要】
【発明が解決しようとする課題】
【０００５】
ＰＭ機能によって基地局に測定を行わせる項目（ＰＭ（Ｐｅｒｆｏｒｍａｎｃｅ  Ｍｅａｓｕｒｅｍｅｎｔ）項目）としては、種々の項目がある。しかし、基地局の保守や運用に用いられるＰＭ項目は、種々のＰＭ項目のうちの一部であることが多く、無線通信システムを運用する通信事業者や、無線通信システムが運用されている国や地域などに応じて異なる。
【０００６】
通常、基地局においては、ＰＭ項目毎に、そのＰＭ項目を測定対象とするか否かを設定することができる。そのため、基地局の保守や運用に用いられないＰＭ項目を、基地局による測定対象から除外することで、基地局やＥＭＳの処理負荷を低減させることができる。
【０００７】
上述したように、基地局の保守や運用に用いられるＰＭ項目は、通信事業者や、国や地域などに応じて異なる。そのため、基地局による測定対象のＰＭ項目の設定は、無線通信システムを管理するオペレータなどが手動で行う必要があり、手間がかかるという課題があった。
【課題を解決するための手段】
【０００８】
上記目的を達成するために本発明の無線通信システムは、
基地局と、前記基地局を管理する基地局管理装置とを備える無線通信システムであって、
前記基地局は、
自局の動作状態に関する複数の測定項目のうち、測定対象として設定された測定項目について測定を行う測定部を有し、
前記基地局管理装置は、
前記基地局により測定された前記測定項目についての測定結果を取得する取得部と、
前記取得部により取得された前記測定結果を記憶し、前記測定項目についての測定結果の参照が要求されると、該測定項目についての測定結果を要求元に参照させる制御部と、を有し、
前記制御部は、所定期間ごとに前記測定結果の参照状況を確認し、確認した前記参照状況に応じて、前記複数の測定項目の中から、前記基地局による測定対象から除外する測定停止項目を決定し、前記基地局に前記測定停止項目についての測定を停止させる。
【０００９】
上記目的を達成するために本発明の基地局管理装置は、
自局の動作状態に関する複数の測定項目のうち、測定対象として設定された測定項目について測定を行う基地局を管理する基地局管理装置であって、
前記基地局により測定された前記測定項目についての測定結果を取得する取得部と、
前記取得部により取得された前記測定結果を記憶し、前記測定項目についての測定結果の参照が要求されると、該測定項目についての測定結果を要求元に参照させる制御部と、を有し、
前記制御部は、所定期間ごとに前記測定結果の参照状況を確認し、確認した前記参照状況に応じて、前記複数の測定項目の中から、前記基地局による測定対象から除外する測定停止項目を決定し、前記基地局に前記測定停止項目についての測定を停止させる。
【００１０】
上記目的を達成するために本発明の基地局管理装置の制御方法は、
自局の動作状態に関する複数の測定項目のうち、測定対象として設定された測定項目について測定を行う基地局を管理する基地局管理装置の制御方法であって、
前記基地局により測定された前記測定項目についての測定結果を取得し、
前記取得した前記測定結果を記憶し、前記測定項目についての測定結果の参照が要求されると、該測定項目についての測定結果を要求元に参照させ、
所定期間ごとに前記測定結果の参照状況を確認し、確認した前記参照状況に応じて、前記複数の測定項目の中から、前記基地局による測定対象から除外する測定停止項目を決定し、前記基地局に前記測定停止項目についての測定を停止させる。
【発明の効果】
【００１１】
本発明によれば、基地局による測定対象の項目の設定にかかる手間の削減を図ることができる。
【図面の簡単な説明】
【００１２】
【図１】本発明の一実施形態の無線通信システムの構成を示すブロック図である。
【図２】図１に示す無線通信システムにおける、測定結果の参照が要求された場合の動作を示すシーケンス図である。
【図３】図１に示す無線通信システムにおける、タイマの満了時の動作を示すシーケンス図である。
【図４】図１に示す無線通信システムにおける、測定停止項目についての測定結果の参照が要求された場合の動作を示すシーケンス図である。
【発明を実施するための形態】
【００１３】
以下、本発明の一実施形態について図面を参照して説明する。
【００１４】
図１は、本発明の一実施形態の無線通信システム１００の構成を示す図である。なお、本実施形態においては、無線通信システム１００は、ＬＴＥ通信システムである例を用いて説明する。
【００１５】
図１に示す無線通信システム１００は、複数の基地局（ｅＮｏｄｅＢ）１１０（基地局１１０Ａ〜基地局１１０Ｃ）と、複数のＥＭＳクライアント１２０と、ＥＭＳサーバ１３０とを有する。なお、ＥＭＳクライアント１２０は参照装置の一例であり、ＥＭＳサーバ１３０は基地局管理装置の一例である。
【００１６】
基地局１１０は、基地局１１０の動作状態に関する複数の測定項目（ＰＭ項目）のうち、測定対象として設定されたＰＭ項目について測定し、測定結果をＥＭＳサーバ１３０に出力する。なお、本実施形態においては、ＰＭ項目としてＰＭ項目Ｘ、Ｙが測定される例を用いて説明する。
【００１７】
ＥＭＳクライアント１２０は、無線通信システム１００を管理するオペレータからの入力を受け付けると、基地局１１０によるＰＭ項目についての測定結果の参照を要求する旨を示す参照要求をＥＭＳサーバ１３０に出力する。
【００１８】
ＥＭＳサーバ１３０は、基地局１１０からＰＭ項目についての測定結果を取得する。また、ＥＭＳサーバ１３０は、ＰＭ項目についての測定結果の参照要求がＥＭＳクライアント１２０から出力されると、そのＰＭ項目についての測定結果をＥＭＳクライアント１２０に参照させる。また、ＥＭＳサーバ１３０は、所定期間ごとに測定結果の参照状況を確認し、確認した参照状況に応じて、複数のＰＭ項目の中から、基地局１１０による測定対象から除外するＰＭ項目である測定停止項目を決定し、決定した測定停止項目についての測定を基地局１００に停止させる。
【００１９】
次に、基地局１１０およびＥＭＳサーバ１３０の構成について説明する。なお、ＥＭＳクライアント１２０は、オペレータからの入力を受け付ける入力部、および、参照した測定結果などを表示する表示部などを有する一般的なパーソナルコンピュータなどである。そのため、ＥＭＳクライアント１２０の構成についての説明は省略する。
【００２０】
まず、基地局１１０の構成について説明する。
【００２１】
基地局１１０は、測定部１１１を有する。
【００２２】
測定部１１１は、複数のＰＭ項目のうち、測定対象として設定されたＰＭ項目について測定し、所定の周期（Ｇｒａｎｕｌａｒｉｔｙ  Ｐｅｒｉｏｄ）で、測定結果を示すＰＭファイルを作成し、作成したＰＭファイルをＥＭＳサーバ１３０に出力する。
【００２３】
次に、ＥＭＳサーバ１３０の構成について説明する。
【００２４】
ＥＭＳサーバ１３０は、取得部１３１と、制御部１３２とを有する。
【００２５】
取得部１３１は、基地局１１０から出力されたＰＭファイルを取得する。
【００２６】
制御部１３２は、取得部１３１が取得したＰＭファイルに示されるＰＭ項目についての測定結果を記憶する。また、制御部１３２は、ＥＭＳクライアント１２０からＰＭ項目についての測定結果の参照要求が出力されると、そのＰＭ項目についての測定結果を、要求元のＥＭＳクライアント１２０に参照させる。
【００２７】
また、制御部１３２は、所定期間ごとに測定結果の参照状況を確認し、確認した参照状況に応じて、複数のＰＭ項目の中から測定停止項目を決定し、決定した測定停止項目についての測定を基地局１００に停止させる。以下では、制御部１３２による測定停止項目の決定方法について説明する。
【００２８】
制御部１３２は、複数のＰＭ項目のそれぞれに対応するタイマを、基地局毎に有している。図１においては、ＰＭ項目は、ＰＭ項目ＸおよびＰＭ項目Ｙであり、無線通信システム１００は、基地局１１０Ａ〜基地局１１０Ｃを有するため、制御部１３２は、タイマ１３３ＡＸ〜タイマ１３３ＣＹを有している。以下では、タイマ１３３ＡＸ〜タイマ１３３ＣＹを区別しない場合には、タイマ１３３と称する。
【００２９】
制御部１３２は、ＥＭＳサーバ１３０が動作を開始すると、タイマ１３３ＡＸ〜タイマ１３３ＣＹを起動させる。また、制御部１３２は、ある基地局１１０によるあるＰＭ項目についての測定結果が参照されると、その基地局１１０およびそのＰＭ項目に対応して設けられたタイマをリセットする。具体的には、制御部１３２は、例えば、基地局１１０ＡによるＰＭ項目Ｘについての測定結果がＥＭＳクライアント１２０により参照されると、タイマ１３３ＡＸをリセットする。
【００３０】
また、制御部１３２は、あるタイマ１３３が満了すると、すなわち、あるＰＭ項目についての測定結果が参照されない時間（以下、非参照時間と称する）が所定の時間に達すると、そのタイマに対応するＰＭ項目を、測定停止項目として決定し、そのタイマに対応する基地局１１０に、その測定停止項目についての測定を停止させる。具体的には、制御部１３２は、タイマ１３３ＡＸが満了すると、ＰＭ項目Ｘを測定停止項目として決定し、基地局１１０Ａに決定した測定停止項目についての測定を停止させる。
【００３１】
次に、図１に示す無線通信システム１００の動作について、図２〜図４を用いて説明する。なお、図２〜図４においては、ＥＭＳサーバ１３０が１つの基地局１１０を管理する例を用いて説明する。そのため、ＥＭＳサーバ１３０には、基地局１１０によるＰＭ項目ＸおよびＰＭ項目Ｙについての測定結果の非参照時間を計測するタイマ１３３Ｘ、１３３Ｙが設けられている。なお、上述したように、ＥＭＳサーバ１３０が動作を開始すると、タイマ１３３Ｘ、１３３Ｙは、起動する。
【００３２】
まず、無線通信システム１００における、ＰＭ項目Ｘについての測定結果の参照が要求された場合の動作について、図２を用いて説明する。なお、基地局１１０には、ＰＭ項目Ｘが測定対象として設定されており、また、ＥＭＳサーバ１３０は、ＰＭ項目Ｘについての測定結果を記憶しているものとする。
【００３３】
ＥＭＳクライアント１２０は、ＰＭ項目Ｘについての測定結果の参照を要求する旨の入力を受け付けると（ステップＳ２０１）、ＰＭ項目Ｘについての測定結果の参照要求をＥＭＳサーバ１３０に出力する（ステップＳ２０２）。
【００３４】
ＥＭＳサーバ１３０は、ＥＭＳクライアント１２０からＰＭ項目Ｘについての測定結果の参照要求が出力されると、記憶しているＰＭ項目Ｘについての測定結果をＥＭＳクライアント１２０に参照させ（ステップＳ２０３）、ＰＭ項目Ｘに対応するタイマ１３３Ｘをリセットする（ステップＳ２０４）。
【００３５】
次に、無線通信システム１００における、タイマ１３３Ｙの満了時の動作について、図３を用いて説明する。なお、基地局１１０には、ＰＭ項目Ｙが測定対象として設定されているものとする。
【００３６】
まず、タイマ１３３Ｙが満了すると、（ステップＳ３０１）、ＥＭＳサーバ１３０は、タイマ１３３Ｙに対応するＰＭ項目Ｙを測定停止項目として決定し、ＥＭＳクライアント１２０に、ＰＭ項目Ｙについての測定の停止の許否の入力を要求する旨を示す入力要求を出力する（ステップＳ３０２）。
【００３７】
ＥＭＳクライアント１２０は、ＥＭＳサーバ１３０から入力要求が出力されると、オペレータにＰＭ項目Ｙについての測定の停止の許否の入力を要求する旨を表示する（ステップＳ３０３）。
【００３８】
ＥＭＳクライアント１２０は、ＰＭ項目Ｙについての測定の停止を許可する旨が入力されたか否かを判定する（ステップＳ３０４）。
【００３９】
ＥＭＳクライアント１２０は、ＰＭ項目Ｙについての測定の停止を許可しない旨が入力されたと判定すると（ステップＳ３１１）、ＰＭ項目Ｙについての測定の停止が許可されなかった旨を示す不許可通知を、ＥＭＳサーバ１３０に出力する（ステップＳ３１２）。
【００４０】
ＥＭＳサーバ１３０は、ＥＭＳクライアント１２０からＰＭ項目Ｙについての測定の停止の不許可通知が出力されると、タイマ１３３Ｙをリセットする（ステップＳ３１３）。
【００４１】
一方、ＥＭＳクライアント１２０は、ＰＭ項目Ｙについての測定の停止を許可する旨が入力されたと判定すると（ステップＳ３２１）、ＥＭＳサーバ１３０に、ＰＭ項目Ｙについての測定の停止が許可された旨を示す許可通知を、ＥＭＳサーバ１３０に出力する（ステップＳ３２２）。
【００４２】
ＥＭＳサーバ１３０は、ＥＭＳクライアント１２０から測定の停止の許可通知が出力されると、基地局１１０に、ＰＭ項目Ｙについての測定の停止を要求する旨を示す測定停止要求を出力する（ステップＳ３２３）。
【００４３】
基地局１１０は、ＥＭＳサーバ１３０から測定停止要求が出力されると、ＰＭ項目Ｙについての測定を停止する（ステップＳ３２４）。また、基地局１１０は、ＰＭファイルの出力タイミングになると、測定結果を示すＰＭファイルを作成し、作成したＰＭファイルをＥＭＳサーバ１３０に出力する（ステップＳ３２５）。なお、ＰＭ項目Ｙについては測定されていないため、出力されるＰＭファイルにはＰＭ項目Ｙについての測定結果は含まれない。
【００４４】
次に、無線通信システム１００における、測定停止項目についての測定結果の参照が要求された場合の動作について、図４を用いて説明する。なお、基地局１１０には、ＰＭ項目Ｙが測定停止項目として設定されているものとする。
【００４５】
ＥＭＳクライアント１２０は、ＰＭ項目Ｙについての測定結果の参照を要求する旨の入力を受け付けると（ステップＳ４０１）、ＥＭＳサーバ１３０に、ＰＭ項目Ｙについての測定結果の参照要求を出力する（ステップＳ４０２）。
【００４６】
ＥＭＳサーバ１３０は、ＰＭ項目Ｙが測定停止項目として設定されているため、ＥＭＳクライアント１２０からＰＭ項目Ｙについての測定結果の参照要求が出力されると、基地局１１０に、ＰＭ項目Ｙについての測定の開始を要求する旨を示す測定開始要求を出力する（ステップＳ４０３）。
【００４７】
基地局１１０は、ＥＭＳサーバ１３０から測定開始要求が出力されると、ＰＭ項目Ｙについての測定を開始し（ステップＳ４０４）、ＰＭファイルの出力タイミングになると、ＰＭ項目Ｙについての測定結果を含めたＰＭファイルを作成し、作成したＰＭファイルをＥＭＳサーバ１３０に出力する（ステップＳ４０５）。
【００４８】
ＥＭＳサーバ１３０は、基地局１１０からＰＭファイルが出力されると、出力されたＰＭファイルに示される測定結果を記憶し、記憶した測定結果のうちのＰＭ項目Ｙについての測定結果をＥＭＳクライアント１２０に参照させ（ステップＳ４０６）、タイマ１３３Ｙをリセットする（ステップＳ４０７）。
【００４９】
このように、本実施形態によれば、ＥＭＳサーバ１３０は、ＰＭ項目についての測定結果の参照状況に応じて、複数のＰＭ項目の中から測定停止項目を決定し、決定した測定停止項目についての測定を基地局１１０に停止させる。
【００５０】
そのため、参照頻度が低いＰＭ項目については、オペレータが手動で設定しなくても、基地局１１０による測定対象から除外されるので、基地局１１０による測定対象のＰＭ項目の設定にかかる手間を削減することができる。
【００５１】
なお、本実施形態においては、ＥＭＳサーバ１３０は、タイマ１３３が満了すると、満了したタイマ１３３に対応するＰＭ項目についての測定の停止の許否の入力をＥＭＳクライアント１２０に要求する例を用いて説明したが、これに限られるものではない。ＥＭＳサーバ１３０は、タイマ１３３が満了すると、満了したタイマ１３３に対応するＰＭ項目についての測定の停止の許否の入力をＥＭＳクライアント１２０に要求することなく、そのＰＭ項目についての測定を基地局１１０に停止させるとともに、そのＰＭ項目についての測定を停止した旨をＥＭＳクライアント１２０に通知するようにしてもよい。
【００５２】
また、本実施形態においては、ＥＭＳサーバ１３０は、ＰＭ項目についての測定結果の参照状況として、ＰＭ項目についての測定結果の非参照時間を用いて、測定停止項目を決定する例を用いて説明したが、これに限られるものではない。ＥＭＳサーバ１３０は、ＰＭ項目についての測定結果の参照状況として、所定の時間におけるＰＭ項目についての測定結果の参照回数が所定の回数未満であるＰＭ項目を測定停止項目として決定してもよい。
【００５３】
また、ＥＭＳサーバ１３０は、複数のＰＭ項目を、各ＰＭ項目の属性に応じてグループ化し、測定停止項目として決定したＰＭ項目と同じグループに属するＰＭ項目についての測定を基地局１１０に停止させるようにしてもよい。このようなＰＭ項目のグループ化の方法の一例としては、基地局１１０の保守や運用に組み合わせて用いられる複数のＰＭ項目を同じグループとする方法がある。
【００５４】
また、ＰＭ項目の中には、測定内容が重複するものがある。そのため、ＥＭＳサーバ１３０は、測定内容が重複するＰＭ項目をグループ化しておき、そのグループに属するＰＭ項目のうち、一つのＰＭ項目の参照頻度が所定の閾値以上であるＰＭ項目と同じグループに属する他のＰＭ項目を、測定停止項目として決定してもよい。
【００５５】
また、本実施形態においては、ＥＭＳサーバ１３０は、基地局１１０毎に測定された各ＰＭ項目の測定結果の参照状況に応じて、基地局１１０毎に測定停止項目を決定する例を用いて説明したが、これに限られものではない。ＥＭＳサーバ１３０は、ＰＭ項目毎の測定結果の参照状況に応じて、あるＰＭ項目を測定停止項目として決定すると、全ての基地局１１０に決定した測定停止項目についての測定を停止させてもよい。そのような場合には、基地局１１０毎にタイマ１３３を設ける必要がないため、ＥＭＳサーバ１３０の構成の簡略化および処理負荷の軽減を図ることができる。
【００５６】
また、本実施形態においては、無線通信システム１００は、ＬＴＥ無線通信システムである例を用いて説明したが、これに限られるものではない。無線通信システム１００は、第２世代あるいは第３世代の無線通信システムなどの、基地局およびその基地局を管理する基地局管理装置を備える無線通信システムであればよい。
【符号の説明】
【００５７】
１００    無線通信システム
１１０    基地局
１１１    測定部
１２０    ＥＭＳクライアント
１３０    ＥＭＳサーバ
１３１    取得部
１３２    制御部
１３３    タイマ
【図１】
2014233037.tif 000003
【図２】
2014233037.tif 000004
【図３】
2014233037.tif 000005
【図４】
2014233037.tif 000006